(57)【要約】  自動車用改良型ワイヤレス「ハンズフリー」キットシステムは、車両のマルチメディア機構（２、３）と組み合わされたワイヤレス「ハンズフリー」キット（１）を備える。ワイヤレス「ハンズフリー」キット（１）は、車両のこれらの機構（２、３）とモバイルオーディオ機器（５、８）の間の「ゲートウェイ」機器の役割を果たす。自動車。自動車のマルチメディア機器。自動車電話。
2009529843.tif 000002
【特許請求の範囲】
【請求項１】
ワイヤレス「ハンズフリー」キット（１）と車両のマルチメディア機構（２、３）とを備える自動車用改良型ワイヤレス「ハンズフリー」キットシステムであって、前記ワイヤレス「ハンズフリー」キット（１）が、車両のネットワーク（７）を介する車両の前記機器（２、３）と少なくとも１つのワイヤレスリンク（９ａ、９ｂ、９ｃ、９ｄ）を介するモバイルオーディオ機器（５、８、１０）との間で「ゲートウェイ」機器の役割を果たすこと、前記モバイル機器のうちのいくつか（５、８）が送信機能を有し、車両の前記マルチメディア機構のうちのいくつか（２、３）が受信機能を有すること、前記モバイル機器のうちのいくつか（５、１０）が再生機能を有し、車両の前記マルチメディア機構のうちのいくつか（２、３）が送信機能を有することを特徴とするキットシステム。
【請求項２】
前記モバイル機器が、ワイヤレスリンク（９ａ）によってワイヤレス「ハンズフリー」キット（１）に接続されたワイヤレス電話（５）であることを特徴とする請求項１に記載の改良型ワイヤレス「ハンズフリー」キットシステム。
【請求項３】
前記モバイル機器がさらに、ワイヤレスリンク（９ｂ）によってワイヤレス「ハンズフリー」キット（１）に接続されたワイヤレスオーディオソース（８）であることを特徴とする請求項２に記載の改良型ワイヤレス「ハンズフリー」キットシステム。
【請求項４】
前記車両マルチメディア機構（２、３）が、音声管理機構（２）、グラフィック再生機構（３）およびハンドルにおける制御機構（４）を備えることを特徴とする請求項１から３のいずれか一項に記載の改良型ワイヤレス「ハンズフリー」キットシステム。
【請求項５】
モバイル機器（５、８）の制御が、既存のハンドル下制御ボタン（４）または車両のラジオボタンを用いて行われることを特徴とする請求項１から４のいずれか一項に記載の改良型ワイヤレス「ハンズフリー」キットシステム。
【請求項６】
前記モバイル機器（５、８）と「ハンズフリー」キット（１）との間の前記ワイヤレスリンク（９ａ、９ｂ）が、Ｂｌｕｅｔｏｏｔｈ（登録商標）型のワイヤレスリンク（９ａ、９ｂ）であることを特徴とする請求項２および３のいずれか一項に記載の改良型ワイヤレス「ハンズフリー」キットシステム。
【請求項７】
前記モバイル機器（５、８）と「ハンズフリー」キット（１）との間の前記ワイヤレスリンク（９ａ、９ｂ）が、「超広帯域無線」ＵＷＢテクノロジー型のワイヤレスリンクであることを特徴とする請求項２および３のいずれか一項に記載の改良型ワイヤレス「ハンズフリー」キットシステム。
【請求項８】
曲に関する情報（曲の長さ、曲名、アーチスト名など）の全体または一部である「プレイリスト」およびワイヤレスオーディオソース（８）の経過時間が、車両のグラフィック再生機構（３）に表示されることを特徴とする請求項３および４のいずれか一項に記載の改良型ワイヤレス「ハンズフリー」キットシステム。
【請求項９】
モバイル機器（５、８）の音声放送の音の再生が、音声管理機構（２）により車両のスピーカ（６）上で行われることを特徴とする請求項４に記載の改良型ワイヤレス「ハンズフリー」キットシステム。
【請求項１０】
前記モバイル再生機器（５、１０）上で車両の音源を聞くことができることを特徴とする請求項９に記載の改良型ワイヤレス「ハンズフリー」キットシステム。
【請求項１１】
前記モバイル再生機器（５、１０）が、ワイヤレスリンク（９ｄ）によって「ハンズフリー」キット（１）に接続されたワイヤレスヘッドフォン（１０）を含むことを特徴とする請求項１０に記載の改良型ワイヤレス「ハンズフリー」キットシステム。
【請求項１２】
前記モバイル再生機器（５、１０）が、ワイヤレスリンク（９ｃ）によって「ハンズフリー」キット（１）に接続された無線電話（５）を含むことを特徴とする請求項１０に記載の改良型ワイヤレス「ハンズフリー」キットシステム。
【請求項１３】
モバイル機器（５、１０）の制御が、ハンドル下スイッチ（４）および／または車両のラジオのスイッチを用いて行われることを特徴とする請求項９から１２のいずれか一項に記載の改良型ワイヤレス「ハンズフリー」キットシステム。
【請求項１４】
車両の再生画面により、モバイル再生機器（５、１０）の状態に関する情報を表示することが可能であることを特徴とする請求項９から１３のいずれか一項に記載の改良型ワイヤレス「ハンズフリー」キットシステム。
【請求項１５】
ワイヤレスヘッドフォン（１０）が自動車の専用マンマシンインタフェースを具備することを特徴とする請求項１１に記載の改良型ワイヤレス「ハンズフリー」キットシステム。
【請求項１６】
前記自動車専用マンマシンインタフェースが押しボタンであり、それにより、ユーザーが聞きたい車両の音源、すなわちラジオ、ＣＤ、ＤＶＤ、車両電話などを選択することが可能であることを特徴とする請求項１５に記載の改良型ワイヤレス「ハンズフリー」キットシステム。
【請求項１７】
モバイル再生機器（５、１０）と「ハンズフリー」キット（１）の間のワイヤレスリンク（９ｃ、９ｄ）が、Ｂｌｕｅｔｏｏｔｈ（登録商標）型のワイヤレスリンク（９ｃ、９ｄ）であることを特徴とする請求項１１および１２のいずれか一項に記載の改良型ワイヤレス「ハンズフリー」キットシステム。
【請求項１８】
モバイル再生機器（５、１０）と「ハンズフリー」キット（１）の間のワイヤレスリンク（９ｃ、９ｄ）が、「超広帯域無線」ＵＷＢテクノロジー型のワイヤレスリンクであることを特徴とする請求項１１および１２のいずれか一項に記載の改良型ワイヤレス「ハンズフリー」キットシステム。
【請求項１９】
音声管理機構（２）が、ラジオ、自動車無線ナビゲーション、高忠実度増幅器のうちの１つまたは複数であることを特徴とする請求項４に記載の改良型ワイヤレス「ハンズフリー」キットシステム。
【請求項２０】
電話機能専用のウィンドウを表示するためのグラフィック再生機構（３）が、以下の機構、すなわち多機能画面、ナビゲーション画面のうちの１つまたは複数であることを特徴とする請求項４に記載の改良型ワイヤレス「ハンズフリー」キットシステム。
【発明の詳細な説明】
【発明の開示】
【０００１】
本発明は、自動車のワイヤレス「ハンズフリー」キットと呼ばれるシステムの改良に関する。より詳細には、本発明は、これらのシステムの新規利用の技術分野に関する。
【０００２】
運転者は運転中に電話を手に持った状態で電話を使用することが禁止されているため、「ハンズフリー」キットは、車内で電話をかける場合に強く推奨されるアクセサリである。同キットはアクセサリとしては、スピーカとマイクで構成される。このキットはまずマイクで構成され、車両のオーディオシステムとインタフェースがとられ、これらの設備により電話による通信時に両手をハンドルに置いたままにすることができる。
【０００３】
Ｂｌｕｅｔｏｏｔｈ（登録商標）テクノロジーは、運転者の電話と車載キットの間でトランペアレントかつワイヤレスな接続を実現することにより、この「ハンズフリー」キットのコンセプトを一新させた。すなわち、受話機能を自動車のスピーカエンクロージャに組み込むことを可能にするのは「ワイヤレスハンズフリーキット」と呼ばれるシステムである。
【０００４】
その結果、このシステムは、以下の様々な機構に結合される。
−音声管理機構（ラジオ、無線ナビゲーション、高忠実度増幅器など）
−電話機能専用のウィンドウを表示するためのグラフィック再生機構（多機能画面、ナビゲーション画面など）
−ハンドルにおける制御機構
【０００５】
「ハンズフリー」キットは、以下の文中ではＨＦＫとも呼ぶことがあるが、起動後直ちに、運転者の移動電話を自動的に認識しそれに接続する。同キットは、車内での電話呼について文字通り「ハンズフリー」の管理を行う。運転者は、連絡をとる相手の電話番号を大きな声で発音するだけでよく、ＨＦＫがその番号をダイアルする。また、相手の番号が電話のアドレス帳に既に登録されている場合、運転者はその名前を発音するだけでよい。たとえばインパネ上あるいはバックミラーの近傍にある目の高さの情報画面により、発呼者のＩＤを見ることができる。
【０００６】
モバイル製品、それだけに限定されるわけではないが特にオーディオモバイル製品は、指数関数的な発展を遂げている。
【０００７】
このような経緯から、そのような製品の応用分野をさらに拡げるべく追求がなされてきた。そして新しい適用分野についてのこの追求は、特に自動車業界に関わっている。
【０００８】
フランス特許出願公開第２８６８２３５号によれば、ＭＰ３、ＪＰＥＧ、ＤｉｖＸ、その他など、圧縮デジタルマルチメディアファイルの読み取りができかつ移動電話または固定電話のハンドセットまたは「ハンズフリー」キットとして電話をかけるための装置が知られている。この装置はマルチメディアプレーヤおよびＢｌｕｅｔｏｏｔｈ（登録商標）型無線モジュールを備えている。Ｂｌｕｅｔｏｏｔｈ（登録商標）型無線リンクのおかげで、電話発呼をこの装置に移行させることができる。さらにこの装置は、種々の機能を有する。このタイプの２つまたはそれ以上の装置が、互いに通信することができる。またこの装置は、電話をかけ、マルチメディアファイルを登録し、ＦＭラジオ機能をもち、時計機能をもつことができる。
【０００９】
しかしながら、このような装置は、自動車向けではないスタンドアローン装置である。このような装置は、多機能画面（ＭＦＳ）およびラジオを有する既存の自動車システムに組み込むことができない。言い換えれば、この装置は、自動車内に設置できる場合でも、ラジオ、スピーカ、画面、ハンドル下スイッチなど既存の自動車機器を再利用できず、完全にスタンドアローンな形でしか存在し得ない。さらに、この装置はワイヤレスモバイル機器（電話、オーディオプレーヤ、「スマートフォン」）の制御機能を有さず、すなわち、システムからモバイル機器に向けて、オーディオトラックを変更したり、一時停止をかけたり、早送りまたは早戻しをするなどが可能でない。
【００１０】
また、米国特許出願公開ＵＳ  ２００３／０１１４２０２  Ａ１によれば、運転しながら携帯電話から行う電話発呼に快適性および安全性を提供することができるシステムが知られている。このシステムは、物理的な接続をもつ必要なく「ハンズフリー」システムと携帯電話の間で文字データおよびワイヤレス音声を伝送するための通信モジュールを含む。この公報に記載されている方法により、携帯電話への入力をシステム内に登録することができ、システムを利用しながら携帯電話上で電話呼を行うことが可能になる。したがってこれは、やはり既存の自動車機器上には設置できないスタンドアローンな「ワイヤレス電話ハンズフリーキット」型のシステムである。それに加えて、この先行技術の装置は、たとえばミュージックプレーヤなどの追加機能を一切有さない。
【００１１】
また、米国特許出願公開ＵＳ  ２００５／０００８１４７  Ａ１によれば、自動車運転専用の「ハンズフリー」ワイヤレスハンドセットが知られている。この装置は、取り外し可能に携帯電話に接続するのに適した送受信器と、送受信器との間で音声周波数信号の送受信を行うために耳にセットする「ハンズフリー」イヤホンと、ハンドセットを取り外し可能に保持するためのスピーカマウントとを備える。「ハンズフリー」イヤホンがマウント上に置かれると、音声周波数信号がマウントに戻され、マウントを介して送信される。マウントがあるおかげで運転中のユーザーは耳にイヤホンを装着する必要なく会話することができる。この装置は、ワイヤレス「ハンズフリー」キットの厳密な応用例の他に、音声再生を含むが、それは機能の拡張と呼べるものではない。
【００１２】
本発明の一目的は、先行技術のワイヤレス「ハンズフリー」キットに比べて追加の機能を含む、改良型ワイヤレス「ハンズフリー」キットシステムを考案することである。
【００１３】
本発明の別の目的は、モバイル機器、すなわち運転者あるいはより一般的には自動車の乗員の携帯通信機器とのワイヤレス接続に関する追加機能を含む改良型ワイヤレス「ハンズフリー」キットシステムを考案することである。
【００１４】
本発明の別の目的は、モバイルオーディオ機器を管理し制御する追加機能を含む改良型ワイヤレス「ハンズフリー」キットシステムを考案することである。
【００１５】
本発明のさらに別の目的は、車両の音源を再生モバイルオーディオ機器上で再生することに関する追加機能を含む改良型ワイヤレス「ハンズフリー」キットシステムを考案することである。
【００１６】
車両内に存在する自動車機器を再利用することによりあらゆる追加機能とともに自動車内に設置することができる改良型ワイヤレス「ハンズフリー」キットシステムを考案することも本発明の目的である。
【００１７】
これらの目的を達成するために、本発明は、ワイヤレス「ハンズフリー」キットが、車両のマルチメディア機構とモバイルオーディオ機器との間で「ゲートウェイ」機器の役割を果たす新規の改良型ワイヤレス「ハンズフリー」キットシステムを提供する。
【００１８】
本発明による改良型ワイヤレス「ハンズフリー」キットの第１の一連の新規追加機能によれば、モバイル機器が送信機能を有し、車両のマルチメディア機器が受信機能を有する。
【００１９】
これらのモバイル機器は、ワイヤレスリンクによってワイヤレス「ハンズフリー」キットに接続されたワイヤレス電話とすることができる。
【００２０】
これらのモバイル機器は、ワイヤレス電話に加えて、あるいは別個に、ワイヤレスリンクによってワイヤレス「ハンズフリー」キットに接続されたワイヤレスオーディオソースとすることもできる。
【００２１】
次いでワイヤレス「ハンズフリー」キットは、音声管理機構、グラフィック再生機構およびハンドルにおける制御機構に結合される。
【００２２】
好ましくは、モバイル機器の制御は、既存のハンドル下制御ボタンまたは車両のラジオボタンを用いて行われる。
【００２３】
モバイル機器と「ハンズフリー」キットとの間のワイヤレスリンクは、Ｂｌｕｅｔｏｏｔｈ（登録商標）型、あるいはたとえばＵＷＢ（「超広帯域無線」の意）テクノロジー型などその他のデジタルワイヤレステクノロジー型のワイヤレスリンクとすることができる。
【００２４】
本発明の好ましい一実施形態によれば、曲に関する情報（曲の長さ、曲名、アーチスト名など）の全体または一部である「プレイリスト」（つまり、あらかじめ選択された曲の再編成）およびワイヤレスオーディオソースの経過時間が、車両のグラフィック再生機構に表示される。
【００２５】
また、同じくこの好ましい実施形態によれば、モバイル機器の音声放送の音の再生は、音声管理機構により車両のスピーカ上で行われる。
【００２６】
本発明による改良型ワイヤレス「ハンズフリー」キットの第２の一連の新規追加機能によれば、モバイル機器は再生機能を有し、車両の機器は送信機能を有する。
【００２７】
この場合、改良型ワイヤレス「ハンズフリー」キットシステムにより、前記モバイル再生機器上で車両の音源を聴くことが可能となる。
【００２８】
これらのモバイル再生機器は、ワイヤレスリンクによって「ハンズフリー」キットに接続されたワイヤレスヘッドフォンを備えることができる。
【００２９】
これらのモバイル再生機器は、ワイヤレスヘッドフォンに加えて、あるいは別個に、ワイヤレスリンクによって「ハンズフリー」キットに接続された無線電話を含むこともできる。
【００３０】
これらのモバイル機器の制御は、ハンドル下スイッチおよび／または車両のラジオのスイッチを用いて行うことができる。
【００３１】
車両の再生画面によりモバイル再生機器の状態に関する情報を表示することができる。
【００３２】
好ましくは、ワイヤレスヘッドフォンは自動車の専用マンマシンインタフェース（ＭＭＩ）を具備することができ、このマンマシンインタフェースは、ユーザーが聞きたい車両の音源、すなわちラジオ、ＣＤ、ＤＶＤ、車両の電話などの選択を可能にする押しボタンとすることができる。
【００３３】
モバイル再生機器と「ハンズフリー」キットの間のワイヤレスリンクは、Ｂｌｕｅｔｏｏｔｈ（登録商標）型のワイヤレスリンク、またはＵＷＢ型のワイヤレスリンクとすることができる。
【００３４】
音声管理機構は、以下の機構、すなわちラジオ、自動車無線ナビゲーション、高忠実度増幅器のうちの１つまたは複数とすることができる。
【００３５】
電話機能専用のウィンドウを表示するためのグラフィック再生機構は、以下の機構、すなわち多機能画面、ナビゲーション画面のうちの１つまたは複数である。
【００３６】
本発明のその他の目的、長所および特徴は、図面が添付された、本特許出願の対象および範囲に関して非限定的な、好ましい実施形態についての以下の説明から明らかになるであろう。
【００３７】
上述のように、先行技術による既知の広く普及している自動車用ワイヤレス「ハンズフリー」キットシステムは、図１の概略図に示すような全体構成を有する。符号１のワイヤレス「ハンズフリー」キット（ＨＦＫ、図中ではＫＭＬと表記される）は、音声（ラジオ、自動車無線ナビゲーション、高忠実度増幅器など）の管理機構２、電話機能専用のウィンドウを表示するためのグラフィック再生機構３（多機能画面、ナビゲーション画面など）、およびハンドルにおける制御機構４に結合される。符号５は、たとえばＢｌｕｅｔｏｏｔｈ（登録商標）型のワイヤレスリンク９、あるいはたとえばＵＷＢ型のデジタルワイヤレスリンクのような別のタイプのワイヤレスリンクによってワイヤレス「ハンズフリー」キット１と通信するモバイル機器、たとえばユーザーの携帯電話を示す。音声管理機構（２）は車内のスピーカ６に接続される。「ハンズフリー」キット１および機構２、３、４および６は、車両ネットワーク７、たとえばＣＡＮバス（自動車の機器同士を接続する通信プロトコル）によって相互に接続される。
【００３８】
本発明は、追加機能を付加しながらワイヤレス「ハンズフリー」キット機構１および関連する車両システムを利用することにある。
【００３９】
第１の一連の追加機能は、モバイル機器からの入力音声束からワイヤレス「ハンズフリー」キットに向けて実行される。図２の概略図を参照すると、モバイル機器は、Ｂｌｕｅｔｏｏｔｈ（登録商標）型のワイヤレスリンク、たとえば無線電話５用ワイヤレスリンク９ａおよびワイヤレス音源８用ワイヤレスリンク９ｂによってワイヤレス「ハンズフリー」キット１に接続された無線電話５および／またはワイヤレス音源８（たとえばデジタルＭＰ３プレーヤ）とすることができる。モバイル機器、たとえば無線電話５または音源８の制御は、既存のハンドル下スイッチのボタンまたはラジオのボタンを用いて行われる。「プレイリスト」、曲名、および曲名に関するあらゆる情報（アーチスト名、日付など）、曲の長さ、経過時間が、車両の画面に表示される。音の再生は無線により車両のスピーカ上で行われる。これら全ての理由から、ワイヤレス「ハンズフリー」キット機構１が車両の機器とモバイル音源の間であたかもゲートウェイの役割を果たすかのような状況が起きることが容易に理解できよう。
【００４０】
本発明は、図３の改良型ワイヤレス「ハンズフリー」キットシステム１の全体構成の概略図によって示されている第２の一連の追加機能を提供する。
【００４１】
この第２の一連の追加機能は、ワイヤレス「ハンズフリー」キット１から出力される音声束からモバイル機器に向けて実行される。
【００４２】
この場合、本発明のシステムにより、たとえばワイヤレスヘッドフォン１０と同様に、モバイル再生機器上で車両からの音源を聴くことが可能となる。モバイル機器５および１０は、Ｂｌｕｅｔｏｏｔｈ（登録商標）型のワイヤレスリンク、たとえば無線電話５用ワイヤレスリンク９ｃおよびワイヤレスヘッドフォン１０用ワイヤレスリンク９ｄによってワイヤレス「ハンズフリー」キット１に接続される。システムの動作は、
−モバイル再生機器を制御するために、ハンドル下スイッチ４および／またはラジオのスイッチを再利用し、
−モバイル再生機器の状態（起動しているか否か、使用音源など）に関する情報を表示するために車両の再生画面を再利用する
ことにある。
【００４３】
変形形態においては、ユーザーが聞きたい車両の音源、たとえばラジオ、ＣＤ、ＤＶＤ、車両の電話などの選択を可能にする自動車の専用マンマシンインタフェース（ＭＭＩ）、たとえば押しボタンを各ワイヤレスヘッドフォン１０に装備することが可能である。
【００４４】
キーを押す毎にワイヤレス「ハンズフリー」キット１にコマンドを送信することができ、その場合、同キットは車両ネットワーク７上で正しい宛先に情報を送信する役目を負う。
【００４５】
したがって、この第２の一連の追加機能の場合も、ワイヤレス「ハンズフリー」キット機構１が車両の機器とモバイル音源の間であたかもゲートウェイの役割を果たすかのような状況が起きる。
【００４６】
本発明は有利な結果を多数もたらす。一方では、本発明により、既存の自動車ワイヤレス「ハンズフリー」機構を、車両の既存の機器（ラジオ、画面、ハンドル下スイッチ）とモバイル機器（無線電話、ワイヤレス音源など）との間のゲートウェイとみなすことにより、この既存の自動車ワイヤレス「ハンズフリー」キット機構を再利用することが可能となる。機器が既存であるため、自動車ワイヤレス「ハンズフリー」キットのこのような改良により、より少ないコストで、顧客の操作の嗜好（「ハンズフリー」キット、モバイル音声の聴取、運転者／乗客の音声の区別の付いた聴取など）をより容易に構築できるという利点ももたらされる。したがって、この「ワイヤレスゲートウェイ」の開発を丸ごと行う必要がない。
【図面の簡単な説明】
【００４７】
【図１】先行技術による自動車ワイヤレス「ハンズフリー」キットシステムの全体構成を示す概略図である。
【図２】改良型自動車ワイヤレス「ハンズフリー」キットシステムの全体構成を示すとともに本発明の対象による第１の一連の追加機能を図示する概略図である。
【図３】改良型自動車ワイヤレス「ハンズフリー」キットシステムの全体構成を示すとともに本発明の対象による第２の一連の追加機能を図示する概略図である。
【図１】
2009529843.tif 000003
【図２】
2009529843.tif 000004
【図３】
2009529843.tif 000005
【国際調査報告】
2009529843.tif 000006
2009529843.tif 000007
2009529843.tif 000008
2009529843.tif 000009
2009529843.tif 000010
2009529843.tif 000011